(57)【要約】      （修正有）【課題】眼鏡脚を容易に交換可能な眼鏡を提供する。【解決手段】眼鏡フレーム１０と、２つの眼鏡脚２０と、２つの結合部材３０とを含む。眼鏡フレームの両側には、横バー１１２と、枢接軸１１１とを含む接合部１１がそれぞれ設けられている。眼鏡脚の先端には組み付け部２１が設けられており、組み付け部は枢接孔２１１を含む。結合部材の内部には組み付け孔３１が設けられている。枢接軸が枢接孔に挿入され、結合部材が枢接孔に挿入され、結合部材の組み付け孔が枢接軸と結合されることで、眼鏡フレームと眼鏡脚との組み合わせの容易化を達成することができる。【選択図】図２
0003202969.tif 000002
【実用新案登録請求の範囲】
【請求項１】
両側に横バーと、枢接軸とを含む接合部がそれぞれ設けられた眼鏡フレームと、
それぞれの先端に組み付け部が設けられており、該組み付け部が枢接孔と止め縁とを含み、各接合部の枢接軸が組み付け部に対応する枢接孔内に挿入される２つの眼鏡脚と、
それぞれが軸部材でありかつ一方の眼鏡脚の枢接孔に着脱可能に嵌入され、それぞれの内部には該眼鏡フレームの対応する枢接軸と結合するための組み付け孔が設けられることで、該２つの眼鏡脚は、該眼鏡フレームに対して内方へ折り畳み収納しまたは外方へ拡開することができ、該２つの眼鏡脚が該眼鏡フレームに対して外方へ拡開した場合には、該２つの眼鏡脚の止め縁が該２つの接合部の横バーによって止められる２つの結合部材と、
を備えることを特徴とする眼鏡脚を容易に交換可能な眼鏡。
【請求項２】
該枢接軸の外周にはねじ山部が設けられ、該組み付け孔の内壁には該ねじ山部と結合可能なめねじが設けられていることを特徴とする請求項１に記載の眼鏡脚を容易に交換可能な眼鏡。
【請求項３】
該眼鏡フレームは、少なくとも１つのフレームなしレンズを含み、該レンズの上には少なくとも貫通孔が設けられ、該接合部の横バーの一端には該貫通孔を通す位置決め脚が設けられており、該位置決め脚を位置決めシートで該レンズに固定することを特徴とする請求項１に記載の眼鏡脚を容易に交換可能な眼鏡。
【考案の詳細な説明】
【技術分野】
【０００１】
本考案は、眼鏡の組み合わせ構造に関し、特に眼鏡脚を容易に交換可能な眼鏡構造に関するものである。
【背景技術】
【０００２】
従来の眼鏡は、一般に、眼鏡フレームと２つの眼鏡脚とからなる。眼鏡フレームと眼鏡脚とがネジで関節のように作動可能に結合されることで、眼鏡脚は、眼鏡フレームに対して内方へ折り畳み収納しまたは外方へ拡開することができる。しかしながら、ネジは、長期間の使用によって次第に緩みやすくなり、適当な締め付け力を維持するために、ときどき回転締め付ける必要があり、操作上不便である。
【０００３】
薄型眼鏡フレームの設計趨勢のもとで、眼鏡フレームと眼鏡脚との結合にはネジは用いられないようになっている。薄型材料に対してネジを関節とする構造をさらに製造することは、全体の重量が増すのみならず、製造工程においても加工困難性やコストが増加するためである。さらに、ほとんどの眼鏡は、組となる設計であるため、使用上に変化が乏しく、しかも眼鏡の一部の部品（例えば眼鏡脚）が損壊した場合に、ツールにより保守維持する必要があり、操作上極めて不便である。従って、眼鏡部品交換の困難性を低減させるとともに眼鏡多様化の可能性を向上するために、関連業者は、眼鏡フレームと眼鏡脚との組み合わせのために、簡易に連結しかつ安定的に結合可能なその他の構造を考慮する必要がある。
【考案の概要】
【考案が解決しようとする課題】
【０００４】
そこで、本考案は、眼鏡脚と眼鏡フレームとを簡単に組み合わせ可能な眼鏡構造を提供することを目的とする。
【課題を解決するための手段】
【０００５】
本考案に係る眼鏡は、眼鏡フレームと、２つの眼鏡脚と、２つの結合部材とを含む。眼鏡フレームの両側には、横バーと、枢接軸とを含む接合部がそれぞれ設けられている。眼鏡脚の先端には組み付け部が設けられており、該組み付け部は枢接孔を含み、該結合部材の内部には組み付け孔が設けられている。該枢接軸が該枢接孔に挿入され、該結合部材が該眼鏡脚の枢接孔に挿入され、該結合部材の組み付け孔が該枢接軸と結合されることで、眼鏡フレームと眼鏡脚との組み合わせの容易化を達成することができる。
【考案の効果】
【０００６】
本考案に係る眼鏡脚を容易に交換可能な眼鏡によれば、眼鏡脚と眼鏡フレームとの組み合わせは容易に完成することができ、眼鏡全体の製品はよりコンパクトとなり、眼鏡の生産コスト及び製造困難性は大幅に低下する。
【図面の簡単な説明】
【０００７】
【図１】本考案に係る第１の実施例の眼鏡の組み合わせ立体図である。
【図２】図１の眼鏡の局所構造分解図である。
【図３】図２の枢接軸と結合部材との組み合わせ模式図である。
【図４】本考案に係る第２の実施例の眼鏡の局所構造分解図である。
【図５】本考案に係る第３の実施例の眼鏡の局所構造分解図である。
【図６】図５の眼鏡フレームと眼鏡脚との組み合わせ模式図である。
【考案を実施するための形態】
【０００８】
図１〜３に示すように、本考案に係る第１の実施例の眼鏡は、眼鏡フレーム１０と、２つの眼鏡脚２０と、２つの結合部材３０とを含む。眼鏡フレーム１０の両側には、接合部１１がそれぞれ設けられている。各眼鏡脚２０の先端が結合部材３０により対応する接合部１１に結合されることで、眼鏡脚２０は、拡開または折り畳みの機能を有し、組み合わせが容易かつ眼鏡脚の交換が容易な眼鏡構造となる。
【０００９】
この実施例において、眼鏡フレーム１０は、眼鏡枠１０１と、眼鏡枠１０１内に設けられた２つのレンズ１０２とを含む。各接合部１１は、横バー１１２と、枢接軸１１１とを含む。横バー１１２は、眼鏡枠１０１の一方の側から水平に外方へ延在し、枢接軸１１１は、枢接軸１１１の外端から下方へ垂直に延在している。
【００１０】
各眼鏡脚２０の先端には組み付け部２１が設けられており、組み付け部２１は、枢接孔２１１と、止め縁２１２とを含み、枢接孔２１１は、眼鏡脚２０の先端を垂直に貫通する貫通孔である。止め縁２１２は、眼鏡脚２０の先端頂部に設けられたスリットからなる。
【００１１】
結合部材３０は、枢接孔２１１に着脱可能に嵌入される軸部材である。結合部材３０の内部には組み付け孔３１が設けられており、結合部材３０の一端は大きい外径を有する凸縁３２であり、結合部材３０が枢接孔２１１に嵌入された場合、凸縁３２は、枢接孔２１１の下端に位置決めすることができる。
【００１２】
本考案に係る眼鏡は、組み合わせ上、枢接軸１１１が枢接孔２１１内に挿入され、そして結合部材３０が眼鏡脚２０の枢接孔２１１に挿入されることで、結合部材３０の組み付け孔３１が枢接軸１１１に嵌設され密着される。これにより、各眼鏡脚２０は、眼鏡フレーム１０の対応する接合部１１と結合することができる。また、眼鏡脚２０は、枢接軸１１１を枢軸として眼鏡フレーム１０に対して内方へ折り畳み収納しまたは外方へ拡開することができる。図１、２に示すように、眼鏡脚２０が眼鏡フレーム１０に対して外方へ拡開した場合、眼鏡脚２０の止め縁２１２は横バー１１２によって止められ、眼鏡脚２０が所定の角度以上拡開することを規制し、眼鏡脚２０の外方への過度な拡開を回避することができる。さらに、眼鏡脚２０を交換しようとする場合は、ツールを使用することなく、力を少し印加するだけで結合部材３０を枢接孔２１１から取り外すことができ、これにより、眼鏡脚２０は、眼鏡フレーム１０と分離することができ、眼鏡脚の造形を容易に交換可能な効果を達成することができる。
【００１３】
図４は、本考案に係る他の実施例の眼鏡を示す。この実施例において、枢接軸１１１の外周にはねじ山部１１３が設けられ、組み付け孔３１の内壁にはねじ山部１１３と結合可能なめねじ３１１が設けられており、組み付け孔３１と枢接軸１１１との螺合により、眼鏡脚２０は、眼鏡フレーム１０の対応する接合部１１と結合可能であり、眼鏡脚２０を容易に交換可能な効果を達成することができる。
【００１４】
図５、６は、本考案に係るさらに他の実施例の眼鏡を示す。この実施例において、眼鏡フレーム１０は、眼鏡フレームを含まないとする。即ち、本考案に係る眼鏡は、フレームなし眼鏡であり、各接合部１１の横バー１１２は、レンズ１０２に着脱可能に結合されている。各レンズ１０２の上には少なくとも１つの貫通孔１０３が設けられ、横バー１１２の一端には貫通孔１０３を貫通する位置決め脚１１４が設けられており、位置決め脚１１４が位置決めシート１０４によりレンズ１０２に固定されることで、該２つの接合部１１は眼鏡フレーム１０の両側にそれぞれ設けられる。
【００１５】
上記のように、これらの実施の形態は本考案の好ましい実施例のみであり、本考案の特許請求の範囲に基づいてなされる等価の変更や修飾は、本考案の技術範囲に入るものである。
【００１６】
以上のように、本考案では、両側に横バーと、枢接軸とを含む接合部がそれぞれ設けられた眼鏡フレームと、それぞれの先端に組み付け部が設けられており、該組み付け部が枢接孔と止め縁とを含み、各接合部の枢接軸が組み付け部に対応する枢接孔内に挿入される２つの眼鏡脚と、それぞれが軸部材でありかつ一方の眼鏡脚の枢接孔に着脱可能に嵌入され、それぞれの内部には該眼鏡フレームの対応する枢接軸と結合するための組み付け孔が設けられることで、該２つの眼鏡脚は、該眼鏡フレームに対して内方へ折り畳み収納しまたは外方へ拡開することができ、該２つの眼鏡脚が該眼鏡フレームに対して外方へ拡開した場合には、該２つの眼鏡脚の止め縁が該２つの接合部の横バーによって止められる２つの結合部材と、を備えることを特徴とする眼鏡脚を容易に交換可能な眼鏡とするものである。
【００１７】
また、該枢接軸の外周にはねじ山部が設けられ、該組み付け孔の内壁には該ねじ山部と結合可能なめねじが設けられているものとする。
【００１８】
また、該眼鏡フレームは、少なくとも１つのフレームなしレンズを含み、該レンズの上には少なくとも貫通孔が設けられ、該接合部の横バーの一端には該貫通孔を通す位置決め脚が設けられており、該位置決め脚を位置決めシートで該レンズに固定するものとする。
【産業上の利用可能性】
【００１９】
本考案に係る眼鏡脚を容易に交換可能な眼鏡によれば、眼鏡脚と眼鏡フレームとの組み合わせは容易に完成することができ、眼鏡全体の製品はよりコンパクトとなり、眼鏡の生産コスト及び製造困難性は大幅に低下する。
【符号の説明】
【００２０】
１０  眼鏡フレーム
１１  接合部
１０１  眼鏡枠
１０２  レンズ
１０３  貫通孔
１０４  位置決めシート
１１１  枢接軸
１１２  横バー
１１３  ねじ山部
１１４  位置決め脚
２０  眼鏡脚
２１  組み付け部
２１１  枢接孔
２１２  止め縁
３０  結合部材
３１  組み付け孔
３２  凸縁
３１１  めねじ
【図１】
0003202969.tif 000003
【図２】
0003202969.tif 000004
【図３】
0003202969.tif 000005
【図４】
0003202969.tif 000006
【図５】
0003202969.tif 000007
【図６】
0003202969.tif 000008